(57)【要約】      （修正有）【課題】快適に寝ることができるようにヘッド側ベッド板と腿を支持するベッド板の傾斜角度を調節できる電動ベッドを提供する。【解決手段】電動ベッドはベッドの骨組みと、ヒンジでお互いに連結した複数のベッド板と、駆動モーターとを含む。複数のベッド板はヘッド側ベッド板２と、固定ベッド板３と、腿を支持するベッド板４と、脛を支持するベッド板５とを含み、固定ベッド板３はベッドの骨組みに固定され、ヘッド側ベッド板２の下面には、固定的にヘッド側連接台を設けて、駆動モーターは少なくともヘッド側駆動モーターと腿側駆動モーターとを含み、ヘッド側駆動モーターの両端部はそれぞれヒンジでベッドの骨組みとヘッド側連接台３１と連結し、腿を支持するベッド板４の下面には、固定的に腿側連接台３２を設けて、腿側駆動モーターの両端部はそれぞれヒンジでベッドの骨組みと腿側連接台３２と連結している。【選択図】図２
0003211967.tif 000002
【実用新案登録請求の範囲】
【請求項１】
ベッドの骨組みと、ヒンジでお互いに連結した複数のベッド板と、ベッド板を上がったり下がったりさせる駆動モーターとを含み、当該複数のベッド板は、少なくとも順にヒンジで連結したヘッド側ベッド板（２）と、固定ベッド板（３）と、腿を支持するベッド板（４）と、脛を支持するベッド板（５）とを含み、上記の固定ベッド板（３）は上記のベッドの骨組みに固定された調節できる電動ベッド（１）であって、
上記のヘッド側ベッド板（２）の下面には、固定的にヘッド側連接台（３１）を設けて、
上記の駆動モーターは少なくともヘッド側駆動モーターと腿側駆動モーターとを含み、上記のヘッド側駆動モーターの両端部はそれぞれヒンジでベッドの骨組みとヘッド側連接台（３１）と連結し、
腿を支持するベッド板（４）の下面には、固定的に腿側連接台（３２）を設けて、
上記の腿側駆動モーターの両端部はそれぞれヒンジでベッドの骨組みと上記の腿側連接台（３２）と連結していることを特徴とする調節できる電動ベッド（１）。
【請求項２】
上記の脛を支持するベッド板（５）と上記のベッドの骨組みとは可動サポートバー（３８）により連接し、上記の可動サポートバー（３８）の一端部は上記のベッドの骨組みとはヒンジで連結し、他端部は上記の脛を支持するベッド板（５）とヒンジで連結し、上記の腿側駆動モーターにより上記の腿を支持するベッド板（４）を駆動して上下に移動させる場合、上記の可動サポートバー（３８）  は上記の脛を支持するベッド板（５）をサポートすることを特徴とする請求項１に記載の調節できる電動ベッド（１）。
【請求項３】
上記のベッドの骨組みは上記ベッドの骨組みの水平面の上に設ける固定用台（１３）と複数の固定用ブロック（１４）とを含み、上記の固定用台（１３）は上記の固定ベッド板（３）を固定するもので、上記の複数の固定用ブロック（１４）は上記のヘッド側ベッド板（２）と、腿を支持するベッド板（４）と、脛を支持するベッド板（５）とが水平状態になる場合これらのベッド板をサポートすることを特徴とする請求項１に記載の調節できる電動ベッド（１）。
【請求項４】
上記の複数の固定用ブロック（１４）の少なくとも一つは、上記のベッドの骨組みの、水平面にある上記の腿を支持するベッド板（４）と上記の脛を支持するベッド板（５）とをヒンジで連結するところに対応する位置に固定されたことを特徴とする請求項３に記載の調節できる電動ベッド（１）。
【請求項５】
上記のヘッド側駆動モーターと上記の腿側駆動モーターとは駆動端部と押しピンとを含み、
上記のヘッド側駆動モーターの駆動端部（２３）は上記のベッドの骨組みとヒンジで連結し、上記の押しピン（２４）の端部は上記のヘッド側ベッド板（２）とヒンジで連結し、
上記の腿側駆動モーターの駆動端部（２１）は上記のベッドの骨組みとヒンジで連結し、また、上記の押しピン（２２）の端部は上記の腿を支持するベッド板（４）とヒンジで連結することを特徴とする請求項１に記載の調節できる電動ベッド（１）。
【請求項６】
上記のヘッド側駆動モーターと上記の腿側駆動モーターとの駆動端部と押しピンの端部とは違った水平面にあるように設けられたことを特徴とする請求項５に記載の調節できる電動ベッド（１）。
【請求項７】
上記のヘッド側連接台（３１）と上記の腿側連接台（３２）とは同じ直線に沿ってそれぞれ上記のヘッド側ベッド板（２）と上記の腿を支持するベッド板（４）との下面に設けることを特徴とする請求項１に記載の調節できる電動ベッド（１）。
【請求項８】
上記のヘッド側連接台（３１）と上記の腿側連接台（３２）とはそれぞれ上記のヘッド側ベッド板（２）と上記の腿を支持するベッド板（４）との中心線に沿って設けることを特徴とする請求項７に記載の調節できる電動ベッド（１）。
【請求項９】
上記のヘッド側連接台（３１）と上記の腿側連接台（３２）との長さはそれぞれ上記のヘッド側ベッド板（２）と上記の腿を支持するベッド板（４）の長さの二分の一より大きいことを特徴とする請求項１に記載の調節できる電動ベッド（１）。
【請求項１０】
上記のベッドの骨組みは家具用冷間引抜きの鋼管で造るものであることを特徴とする請求項１に記載の調節できる電動ベッド（１）。
【考案の詳細な説明】
【技術分野】
【０００１】
この実用新案は調節できる電動ベッドに関するものである。
【背景技術】
【０００２】
最近、人々は生活の品質を重視してきて、良好の睡眠も非常に重視されている。そのため、快適的に寝ることができるようにヘッド側ベッド板と腿を支持するベッド板の傾斜角度を調節できる電動ベッドは人々に歓迎された。
【０００３】
既存の調節できる電動ベッドは普通駆動モーターと、複雑な機械部品と、可動ベッド板とを含み、駆動モーターにより複雑的な機械構成を駆動して、機械構成によりベッド板の高さと位置を調整する。
【０００４】
しかし、既存の調節できる電動ベッドの内部機械構成もモーターの推進方式も複雑であり、通常複雑的な駆動システムを含み、沢山の回転台、動力装置、サポートバー、耳座席、いろいろの横のバー、竪ポール、回転バーなどの伝動装置により、電動ベッドを駆動して姿勢調整する。このように膨大な、複雑な駆動システムであるから、生産過程が複雑になって、コストも高くなって、組み立てとメンテナンスも不便である。
【考案の概要】
【考案が解決しようとする課題】
【０００５】
この実用新案の目的は上記の背景技術に記載の一つあるいは複数の欠陥を克服することである。
【課題を解決するための手段】
【０００６】
その目的を実現するため、（１）この実用新案の調節できる電動ベッドは、ベッドの骨組みと、ヒンジでお互いに連結した複数のベッド板と、ベッド板を上がったり下がったりさせる駆動モーターとを含み、当該複数のベッド板は、少なくとも順序にヒンジで連結したヘッド側ベッド板と、固定ベッド板と、腿を支持するベッド板と、脛を支持するベッド板とを含み、上記の固定ベッド板は上記のベッドの骨組みに固定され、上記のヘッド側ベッド板の下面には、固定的にヘッド側連接台を設けて、上記の駆動モーターは少なくともヘッド側駆動モーターと腿側駆動モーターとを含み、上記のヘッド側駆動モーターの両端部はそれぞれヒンジでベッドの骨組みと上記のヘッド側連接台と連結し、上記の腿を支持するベッド板の下面には、固定的に腿側連接台を設けて、上記の腿側駆動モーターの両端部はそれぞれヒンジでベッドの骨組みと上記の腿側連接台と連結している。
【０００７】
上記のように構成するため、この実用新案の調節できる電動ベッドはヘッド側駆動モーターと腿側駆動モーターにより、ヘッド側ベッド板と腿を支持するベッド板を駆動して、使用者が快適的に寝ることができるように電動ベッドの姿勢を調整することができる。この実用新案の調節できる電動ベッドは機械構成が簡単で、電動ベッドの内部を清潔にしやすく、簡単な設計であるから、重量が軽く、作りやすくて、コストも低く、使用者にも選択の余裕を提供した。
【０００８】
また、（２）この実用新案は、上記の脛を支持するベッド板と上記のベッドの骨組みとは可動サポートバーにより連接し、上記の可動サポートバー（３８）一端部は上記のベッドの骨組みとヒンジで連結し、他端部は上記の脛を支持するベッド板とヒンジで連結し、上記の腿側駆動モーターにより上記の腿を支持するベッド板を駆動して上下に移動させる場合、上記の可動サポートバーは上記の脛を支持するベッド板をサポートすることを特徴とする（１）に記載の調節できる電動ベッドである。このような設計は人体の力学構成に合って、使用者が快適的に寝ることができる。
【０００９】
また、（３）この実用新案は、上記のベッドの骨組みは上記ベッドの骨組みの水平面の上に設ける固定用台と複数の固定用ブロックとを含み、上記の固定用台は上記の固定ベッド板を固定するもので、上記の複数の固定用ブロックは上記のヘッド側ベッド板と、腿を支持するベッド板と、脛を支持するベッド板とが水平状態になる場合これらのベッド板をサポートすることを特徴とする（１）に記載の調節できる電動ベッドである。このような構成があるため、あらゆるベッド板がみんな水平状態になる場合、固定用台と固定用ブロックはそれぞれベッド板が落ち窪まないように固定ベッド板と他のベッド板を支持している。
【００１０】
また、（４）この実用新案は、上記の複数の固定用ブロックの少なくとも一つは、上記のベッドの骨組みの、水平面にある上記の腿を支持するベッド板と上記の脛を支持するベッド板とをヒンジで連結するところに対応する位置に固定されたことを特徴とする（３）に記載の調節できる電動ベッド（１）である。このような構成があるため、ヒンジで連結するところは重力をたくさん受けても損害されやすくないようになった。
【００１１】
また、（５）この実用新案は、上記のヘッド側駆動モーターと上記の腿側駆動モーターとは駆動端部と押しピンとを含み、上記のヘッド側駆動モーターの駆動端部は上記のベッドの骨組みとヒンジで連結し、上記の押しピンの端部は上記のヘッド側ベッド板とヒンジで連結し、上記の腿側駆動モーターの駆動端部は上記のベッドの骨組みとヒンジで連結し、また、上記の押しピンの端部は上記の腿を支持するベッド板とヒンジで連結することを特徴とする（１）に記載の調節できる電動ベッドである。
【００１２】
また、（６）この実用新案は、上記のヘッド側駆動モーターと上記の腿側駆動モーターとの駆動端部と押しピンの端部とは違った水平面にあるように設けられたことを特徴とする（５）に記載の調節できる電動ベッドである。そのため、当該ヘッド側駆動モーターと上記の腿側駆動モーターとが駆動する場合、最初の力のアームが有し、力を使うことができるようになった。
【００１３】
また、（７）この実用新案は、上記のヘッド側連接台と上記の腿側連接台とは同じ直線に沿ってそれぞれ上記のヘッド側ベッド板と上記の腿を支持するベッド板との下面に設けることを特徴とする（１）に記載の調節できる電動ベッドである。そのような構成により、電動ベッド内部の複雑な機械構成が簡単化になって、部品も少なくなって、電動ベッドの内部構成が簡単化されて、内部を清潔にしやすく、メンテナンスしやすくなった。製品の重量が軽いから、使用しやすい。
【００１４】
また、（８）この実用新案は、上記のヘッド側連接台と上記の腿側連接台とはそれぞれ上記のヘッド側ベッド板と上記の腿を支持するベッド板との中心線に沿って設けることを特徴とする（７）に記載の調節できる電動ベッドである。二つの駆動モーターが中心線に沿って相対的に設けるため、モーターが駆動しやすく、電流の急激上昇量が小さくになって、製品の使用寿命も長くになって、安全性も高くになった。
【００１５】
また、（９）この実用新案は上記のヘッド側連接台と上記の腿側連接台との長さはそれぞれ上記のヘッド側ベッド板と上記の腿を支持するベッド板の長さの二分の一より大きいことを特徴とする（１）に記載の調節できる電動ベッドである。これにより、上記のヘッド側連接台と上記の腿側連接台との安定性は高くなった。
【００１６】
また、（１０）この実用新案は、上記のベッドの骨組みは家具用冷間引抜きの鋼管で造るものであることを特徴とする（１）に記載の調節できる電動ベッドである。このような家具用冷間引抜きの鋼管は表面品質が高く、重量が軽く、溶接強度が高く、変形しにくい。
【００１７】
そのため、この実用新案の調節できる電動ベッドは既存の電動ベッドの複雑な機械構成を簡単化させるとともに、充分の機械強度を確保し、製品が製造しやすくなって、コストも低くなって、メンテナンスしやすく、製品の重量も軽いから、使用しやすい。
【図面の簡単な説明】
【００１８】
この実用新案では、明らかに矛盾がある状況あるいはコンバーチブルでない状況以外、全部の特徴、変形方式、及び／あるいは具体実施例は複数組み合わせることができる。
【００１９】
以下の限定でない説明としての具体実施例を読んで、図面も参照して、この実用新案のほかの特徴と長所は分かりやすくなってきた。
【００２０】
【図１】図１はこの実用新案の実施例の調節できる電動ベッドの透視図。
【図２】図２は図１の調節できる電動ベッドの水平面にある場合の側面図。
【図３】図３は図１の調節できる電動ベッドの調節位置にある場合の側面図。
【図４】図４は図１の調節できる電動ベッドの水平面にある場合の下面図。
【考案を実施するための形態】
【００２１】
上記の図面は比例が真実の比率ではなく、この実用新案の基本原理を説明することを目的とするものだけでの簡略図である。この実用新案に公開された設計特徴、例えばサイズ、方向、位置決めおよび形状は具体的な応用状況と使う環境により決まるのである。
【００２２】
以下実施例と図面とによりこの実用新案を詳しく説明する。これらの図面では、同じ参照番号はこの実用新案の同じ部品あるいは等価部品を示す。
【００２３】
図１はこの実用新案の実施例の調節できる電動ベッド、ベッドの骨組みと、駆動モーターと、複数のお互いにヒンジで連結したベッド板とを含み、これらのベッド板は順番にヘッド側ベッド板２と、固定ベッド板３と、腿を支持するベッド板４と、脛を支持するベッド板５とを含み、駆動モーターはヘッド側ベッド板２を駆動するヘッド側駆動モーターと腿を支持するベッド板４を駆動する腿側駆動モーターとを含む。
【００２４】
図１の限定的な例では、ベッドの骨組みは大体矩形の枠体および枠体から盛り上がる固定用台１３と複数の固定用ブロック１４を含み、上記の固定ベッド板３はベッドの骨組みに固定され、かつ固定用台１３の高さは各固定用ブロック１４の高さと同じ、このようにして、各ベッド板は水平状態になる場合、均一的に固定用台１３と固定用ブロック１４に支持された。
【００２５】
図１〜３では、ベッドの骨組みは大体矩形の框体枠体が一対の縦方向の梁１１と一対の横方向の梁１２から構成され、固定用台１３は縦方向の梁１１の中心に設けられ、固定用ブロック１４は分散的に縦方向の梁１１と横方向の梁１２の上にもうけられ，各ベッド板が水平状態になる場合、重量を分散的に受けることができる。
【００２６】
固定用台１３は台座１３０と固定用梁１３１とを含み、各固定用台は二つの高さの同じ台座１３０と台座１３０に固定された一つの固定用梁１３１とから構成された。固定ベッド板３と固定用梁１３１は公知の方式で固く連結した。
【００２７】
ベッドの骨組みの一対の横方向の梁１２には駆動モーターをヒンジで連結するための連結座１５を固定して設けた。連結座１５を横方向の梁１２の中心線に設けては好ましい。ベッドの骨組みは家具用冷間引抜きの鋼管で造るものであり、  ベッドの骨組みは重量が軽く、溶接強度が高く、変形しにくい。
【００２８】
図３と図４では、在ヘッド側ベッド板２和腿を支持するベッド板４的底面にはヘッド側連接台３１と腿側連接台３２とを固定して設けた。固定方法は例えばリベット締め、ねじなどの手段で、ヘッド側連接台３１と腿側連接台３２をそれぞれヘッド側ベッド板２と腿を支持するベッド板４的底面に固定し、これにより、モーターによる力のモメントを伝え、ヘッド側連接台３１はヘッド側ベッド板２と固定ベッド板３との連結のところから延び、少なくヘッド側ベッド板の長さの三分の一まで延び、二分の一までは好ましい。当該ヘッド側連接台３１に駆動モーターをヒンジで連結するための連結座を設け、当該連結座はヘッド側連接台３１の中間にあり、当該ヘッド側連接台３１にある連結座と横方向の梁１２にある連結座１５とがヘッド側ベッド板２への投影は同じ直線にある。
【００２９】
同じように、腿側連接台３２は腿を支持するベッド板４と固定ベッド板３とのお互い連結するところから延び、延びる長さは少なくとも腿を支持するベッド板４の長さの半分で、腿を支持するベッド板４の全部の長さまで延びることは好ましい。当該腿側連接台３２に腿側駆動モーターをヒンジで連結する連結座を設けて、当該連結座は腿を支持するベッド板と脛を支持するベッド板との連結のところの近くにある。当該腿側連接台３２にある連結座と横方向の梁１２にある連結座１５とは腿を支持するベッド板への投影は同じ直線にある。
【００３０】
ヘッド側駆動モーターと腿側駆動モーターはそれぞれ駆動端部と押しピンがある。ヘッド側駆動モーターの駆動端部２３はヘッド側ベッド板の横方向の梁１２の近くの連結座１５にヒンジで連結し、押しピン２４の端部はヘッド側ベッド板２の底面のヘッド側連接台３１の連結座にヒンジで連結し、腿側駆動モーターの駆動端部２１は腿を支持するベッド板の横方向の梁１２の近くの連結座にヒンジで連結し、その押しピン２２の端部は腿を支持するベッド板４の底面の腿側連接台３２の連結座にヒンジで連結した。
【００３１】
ヘッド側駆動モーターと腿側駆動モーターとの駆動端部と押しピンの端部は違う水平面にあるように設けられ、かつヘッド側駆動モーターと腿側駆動モータとの押しピンの横断面は”エ”字形に設計してもよく、これにより、木材の板の強度を強くさせ、モーターの力を受ける場合も板の変形は小さくなる。
【００３２】
ヘッド側駆動モーターと腿側駆動モーターはベッドの骨組みの水平面への投影は一つの直線になった。
【００３３】
脛を支持するベッド板５とベッドの骨組みと可動のサポートバー３８により連接し、具体的に言うと、脛を支持するベッド板５の底面にはサポートバー３８とヒンジで連結する連結座を固定して設けると同時に、縦方向の梁１１の脛を支持するベッド板の近くにはサポートバー３８とヒンジで連結する連結座がある。  サポートバー３８上記の連結座により脛を支持するベッド板５とベッドの骨組みとの間にヒンジで連結する。腿側駆動モーターが腿を支持するベッド板４を上下に駆動するとき、当該サポートバーは脛を支持するベッド板５を支持する。
【００３４】
以上の実施例は例だけで、この実用新案の権利範囲を制限するものではない。当業者はこれを基礎として、この実用新案権利の権利請求範囲内、同じ機能の別の実施方式を思いだすことも可能である。
【００３５】
当業者がいろいろの実施例と変形例をわかって、明らかに矛盾がある状況あるいはコンバーチブルでない状況以外、全部の特徴、変形方式、及び／あるいは具体実施例は複数組み合わせることができる。
【００３６】
あらゆるこれらの実施例と変形例および改良はこの実用新案の保護範囲に属する。例えば、ヘッド側駆動モーターの駆動端部はヘッド側ベッド板の底面のヘッド側連接台に連結でき、その押しペンの端部はベッドの骨組みの連結座に連結できる。同じように、腿側駆動モーターの駆動端部は腿を支持するベッド板の底面の腿側連接台に連結でき、その押しピンの端部はベッドの骨組みの連接座に連接できる。
【図１】
0003211967.tif 000003
【図２】
0003211967.tif 000004
【図３】
0003211967.tif 000005
【図４】
0003211967.tif 000006